(57)【要約】【課題】より優れた、電源装置の梱包箱および電源装置の設置方法を提供する。【解決手段】梱包箱は、電源装置の梱包箱であって、前記電源装置の設置状態における背面または前面が載せられ、かつ前記電源装置の少なくとも一部を収容する台座部と、前記電源装置が前記台座部に載せられた状態において、前記電源装置の設置状態における底面側、かつ前記台座部の内側に配置される緩衝材とを備える。【選択図】図２
2019073317.tif 000002
【特許請求の範囲】
【請求項１】
電源装置の梱包箱であって、
前記電源装置の設置状態における背面または前面が載せられ、かつ前記電源装置の少なくとも一部を収容する台座部と、
前記電源装置が前記台座部に載せられた状態において、前記電源装置の設置状態における底面側、かつ前記台座部の内側に配置される緩衝材とを備える、梱包箱。
【請求項２】
前記緩衝材は、前記底面よりもサイズが小さく、前記電源装置の前記底面が前記緩衝材に載った状態において前記底面の下側に作業空間が設けられる、請求項１に記載の梱包箱。
【請求項３】
前記緩衝材は、前記電源装置が載った状態において破損しない強度を有する、請求項１または請求項２に記載の梱包箱。
【請求項４】
前記台座部における前記緩衝材側の側壁は、前記台座部における他の側壁よりも高い、請求項１から請求項３のいずれか１項に記載の梱包箱。
【請求項５】
前記緩衝材は、
前記電源装置が前記台座部に載せられた状態において、前記電源装置の前記底面と対向する第１の部分と、
前記電源装置が前記台座部に載せられた状態において、前記電源装置の前記前面または前記背面と対向する第２の部分とを有する、請求項１から請求項４のいずれか１項に記載の梱包箱。
【請求項６】
前記緩衝材は、肉厚部を含み、
前記肉厚部は、前記電源装置の前記底面が前記緩衝材に載った状態において、前記台座部の側壁と共に載置面を形成する、請求項１から請求項５のいずれか１項に記載の梱包箱。
【請求項７】
前記台座部における、底壁と前記緩衝材側の側壁とにより形成される外側角部は、Ｒ面取りされた形状を有する、請求項１から請求項６のいずれか１項に記載の梱包箱。
【請求項８】
前記梱包箱は、さらに、
ミシン目を有する帯電防止シートを備える、請求項１から請求項７のいずれか１項に記載の梱包箱。
【請求項９】
電源装置の梱包箱を用いる前記電源装置の設置方法であって、
前記電源装置の設置状態における背面または前面を、前記梱包箱における台座部に載せて、前記電源装置を前記梱包箱に収容するステップと、
前記梱包箱を転置して、前記電源装置の設置状態における底面を、前記底面側かつ前記台座部の内側に配置された緩衝材に載せるステップと、
前記緩衝材に載っている前記電源装置を前記梱包箱から取り出して設置するステップとを含む、電源装置の設置方法。
【発明の詳細な説明】
【技術分野】
【０００１】
本発明は、梱包箱、および電源装置の設置方法に関する。
【背景技術】
【０００２】
従来、電源装置の梱包箱に関する技術が開発されている。たとえば、特許文献１（特開２００７−２２５５３号公報）には、部分的に開梱した状態で装置の保守等の作業を行うことのできる梱包箱構造が開示されている。すなわち、特許文献１に記載の梱包箱構造は、少なくとも正面側および背面側から開梱可能に形成しておくとともに、前記梱包箱の正面側および背面側を開いた状態で、緩衝材をその正面側と背面側からそれぞれ取り出し可能な形状に予め形成しておく。
【先行技術文献】
【非特許文献】
【０００３】
【特許文献１】特開２００７−２２５５３号公報
【特許文献２】国際公開第２０１２／１６４８１９号
【発明の概要】
【発明が解決しようとする課題】
【０００４】
太陽光発電または蓄電に用いられるＰＣＳ（Ｐｏｗｅｒ  Ｃｏｎｄｉｔｉｏｎｉｎｇ  Ｓｙｓｔｅｍ）等の電源装置は、薄型の筐体形状を有し、背面または前面に大型で重量の大きいヒートシンクが設けられることが多い。このような電源装置は、起立させた状態では重心位置が悪く不安定であるため、輸送時においてはヒートシンクが下側に位置するように寝かせた状態で梱包箱に収容される。
【０００５】
しかしながら、取付施工時においては、開梱した後、寝かせた状態で梱包されている電源装置を起立させる必要があり、重量の大きい電源装置を起立させる作業は、一人の作業者では容易ではない。また、複数の作業者で作業する場合であっても、梱包箱から電源装置を抱え上げて梱包箱から取り出し、電源装置を起立状態に転置させることは容易ではない。
【０００６】
この発明は、上述の課題を解決するためになされたもので、その目的は、より優れた、電源装置の梱包箱および電源装置の設置方法を提供することである。
【課題を解決するための手段】
【０００７】
（１）上記課題を解決するために、この発明のある局面に係る梱包箱は、電源装置の梱包箱であって、前記電源装置の設置状態における背面または前面が載せられ、かつ前記電源装置の少なくとも一部を収容する台座部と、前記電源装置が前記台座部に載せられた状態において、前記電源装置の設置状態における底面側、かつ前記台座部の内側に配置される緩衝材とを備える。
【０００８】
（９）上記課題を解決するために、この発明のある局面に係る電源装置の設置方法は、電源装置の梱包箱を用いる前記電源装置の設置方法であって、前記電源装置の設置状態における背面または前面を、前記梱包箱における台座部に載せて、前記電源装置を前記梱包箱に収容するステップと、前記梱包箱を転置して、前記電源装置の設置状態における底面を、前記底面側かつ前記台座部の内側に配置された緩衝材に載せるステップと、前記緩衝材に載っている前記電源装置を前記梱包箱から取り出して設置するステップとを含む。
【発明の効果】
【０００９】
本発明によれば、より優れた、電源装置の梱包箱および電源装置の設置方法を提供することができる。
【図面の簡単な説明】
【００１０】
【図１】図１は、本発明の第１の実施の形態に係る電源装置の構成を示す図である。
【図２】図２は、本発明の第１の実施の形態に係る梱包箱の構成を示す図である。
【図３】図３は、本発明の第１の実施の形態に係る電源装置の梱包方法および設置方法の手順を定めたフローチャートを示す図である。
【図４】図４は、本発明の第１の実施の形態に係る転置作業前の電源装置および梱包箱の状態を示す図である。
【図５】図５は、図４に示すＶ−Ｖ線に沿った断面を示す断面図である。
【図６】図６は、図５に示す矢印Ａの方向から見た梱包箱および電源装置を示す図である。
【図７】図７は、本発明の第１の実施の形態に係る梱包箱の変形例１を示す図である。
【図８】図８は、本発明の第１の実施の形態に係る梱包箱の変形例２を示す図である。
【図９】図９は、本発明の第１の実施の形態に係る梱包箱の変形例３を示す図である。
【図１０】図１０は、図９に示す矢印Ｂの方向から見た電源装置、第１の緩衝材および帯電防止シートを示す図である。
【図１１】図１１は、本発明の第２の実施の形態に係る梱包箱の構成を示す図である。
【図１２】図１２は、本発明の第２の形態に係る梱包箱および電源装置を示す図である。
【図１３】図１３は、図１２に示す矢印Ｅの方向から見た梱包箱および電源装置を示す図である。
【発明を実施するための形態】
【００１１】
最初に、本発明の実施形態の内容を列記して説明する。
【００１２】
（１）本発明の実施の形態に係る梱包箱は、電源装置の梱包箱であって、前記電源装置の設置状態における背面または前面が載せられ、かつ前記電源装置の少なくとも一部を収容する台座部と、前記電源装置が前記台座部に載せられた状態において、前記電源装置の設置状態における底面側、かつ前記台座部の内側に配置される緩衝材とを備える。
【００１３】
このような構成により、電源装置を輸送する際は、電源装置の背面または前面が下側に位置した状態で電源装置を梱包箱に収容することにより、薄型の筐体形状を有する電源装置であっても、寝かせた状態で安定して輸送することができる。また、設置時は、梱包箱を施工治具として用いることができる。
【００１４】
具体的には、電源装置を台座部と共に回転させることにより、転置作業を簡易化することができ、さらに、緩衝材が電源装置の下敷きとなるため、多くの作業者を必要とせず、かつ転置作業時において電源装置に傷が付くことを防ぐことができる。また、電源装置を梱包箱から取り出した後に起立させる場合と比較して、作業スペースを小さくすることができる。したがって、より優れた電源装置の梱包箱を提供することができる。
【００１５】
（２）好ましくは、前記緩衝材は、前記底面よりもサイズが小さく、前記電源装置の前記底面が前記緩衝材に載った状態において前記底面の下側に作業空間が設けられる。
【００１６】
このような構成により、作業者は、作業空間に手を挿入して電源装置を持ち上げることができるため、たとえば電源装置に持ち手が設けられていない場合であっても、電源装置を台座部から取り出す作業、および電源装置の設置作業を簡易化することができる。
【００１７】
（３）好ましくは、前記緩衝材は、前記電源装置が載った状態において破損しない強度を有する。
【００１８】
このような構成により、電源装置が緩衝材に載った状態において、緩衝材が電源装置を安定して支持することができる。
【００１９】
（４）好ましくは、前記台座部における前記緩衝材側の側壁は、前記台座部における他の側壁よりも高い。
【００２０】
このような構成により、電源装置が緩衝材に載った状態において、台座部の側壁が当該緩衝材を介して電源装置の前面または背面を広く支持することができるため、電源装置を安定した状態で支持することができる。
【００２１】
（５）好ましくは、前記緩衝材は、前記電源装置が前記台座部に載せられた状態において、前記電源装置の前記底面と対向する第１の部分と、前記電源装置が前記台座部に載せられた状態において、前記電源装置の前記前面または前記背面と対向する第２の部分とを有する。
【００２２】
このような構成により、電源装置が緩衝材に載せられた状態において、第１の部分が電源装置の下敷きとなり、かつ第２の部分が電源装置の前面または背面において電源装置を支持する。これにより、電源装置が緩衝材に載せられた状態において、電源装置が前面側または背面側へ滑ることを防ぎ、電源装置を安定した状態で支持することができる。
【００２３】
（６）好ましくは、前記緩衝材は、肉厚部を含み、前記肉厚部は、前記電源装置の前記底面が前記緩衝材に載った状態において、前記台座部の側壁と共に載置面を形成する。
【００２４】
このような構成により、電源装置が緩衝材に載った状態で、電源装置の下側において台座部の側壁が存在している部分と存在していない部分との段差を無くすことができるため、緩衝材が水平面に対して傾くことを防ぎ、電源装置を安定した状態で支持することができる。
【００２５】
（７）好ましくは、前記台座部における、底壁と前記緩衝材側の側壁とにより形成される外側角部は、Ｒ面取りされた形状を有する。
【００２６】
このような構成により、電源装置が台座部に載った状態から、電源装置が緩衝材に載せられた状態へ遷移するように、抵抗の少ない滑らかな動作で台座部を回転させることができるため、電源装置の転置作業を容易に行うことができる。
【００２７】
（８）好ましくは、前記梱包箱は、さらに、ミシン目を有する帯電防止シートを備える。
【００２８】
このような構成により、電源装置が緩衝材に載った状態において、電源装置に被せられた帯電防止シートを容易に取り外すことができる。
【００２９】
（９）本発明の実施の形態に係る電源装置の設置方法は、電源装置の梱包箱を用いる前記電源装置の設置方法であって、前記電源装置の設置状態における背面または前面を、前記梱包箱における台座部に載せて、前記電源装置を前記梱包箱に収容するステップと、前記梱包箱を転置して、前記電源装置の設置状態における底面を、前記底面側かつ前記台座部の内側に配置された緩衝材に載せるステップと、前記緩衝材に載っている前記電源装置を前記梱包箱から取り出して設置するステップとを含む。
【００３０】
このような方法により、電源装置を輸送する際は、電源装置の背面または前面が下側に位置した状態で電源装置を梱包箱に収容することにより、薄型の筐体形状を有する電源装置であっても、寝かせた状態で安定して輸送することができる。また、設置時は、梱包箱を施工治具として用いることができる。
【００３１】
具体的には、電源装置を台座部と共に回転させることにより、転置作業を簡易化することができ、さらに、緩衝材が電源装置の下敷きとなるため、多くの作業者を必要とせず、かつ転置作業時において電源装置に傷が付くことを防ぐことができる。また、電源装置を梱包箱から取り出した後に起立させる場合と比較して、作業スペースを小さくすることができる。したがって、より優れた電源装置の設置方法を提供することができる。
【００３２】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３３】
＜第１の実施の形態＞
［構成］
（電源装置）
図１は、本発明の第１の実施の形態に係る電源装置の構成を示す図である。
【００３４】
図１を参照して、電源装置１０１は、たとえば、太陽光発電または蓄電に用いられるＰＣＳであり、施設の側壁または壁沿いなどに設置される。電源装置１０１は、筐体形状を有する本体部１１と、本体部１１において発生した熱を放熱するためのヒートシンク１２とを備える。
【００３５】
本体部１１は、電源装置１０１の設置状態における、前面２１と、背面２２と、第１の側面２３と、第２の側面２４と、底面２５と、上面２６とを含む。ヒートシンク１２は、たとえばアルミニウムを含む材料により形成され、図示しない複数のフィンを有する。
【００３６】
本体部１１は、たとえば、内部への塵および水の浸入を防ぐため、密封されている。これにより、電源装置１０１が屋外に設置された場合であっても、本体部１１の内部に格納された電気回路を塵および水から保護することができる。また、本体部１１は、たとえば、電源装置１０１の設置先である施設における周囲の通路が狭い場合でも、当該施設の側壁または壁沿いに電源装置１０１の設置を可能とするため、薄型に形成されている。
【００３７】
ヒートシンク１２は、本体部１１の外部に配置されている。電源装置１０１では、本体部１１において発生する熱量が大きいほど、大型で重量の大きいヒートシンク１２が設けられる傾向にある。
【００３８】
また、たとえば屋外設置用の電源装置１０１では、送風ファンで強制的にヒートシンク１２へ風を当てて冷却する方式を採用することが可能であるが、送風ファンの防水対策および騒音などの課題がある。このため、電源装置１０１では自然空冷方式を採用することが多く、電源装置１０１が自然空冷方式を採用する場合に、大型で重量の大きいヒートシンク１２が設けられる傾向にある。
【００３９】
このような、大型で重量の大きいヒートシンク１２は、薄型の筐体形状を有する本体部１１の、第１の側面２３、第２の側面２４、底面２５または上面２６に配置されにくく、また、取り付け時における美観の観点から、たとえば本体部１１の背面２２に配置される。たとえば、ヒートシンク１２は、本体部１１の背面２２のほぼ全面を覆うように配置されている。
【００４０】
このような電源装置１０１は、底面２５が下側に位置する状態（以下、「起立状態」と称する。）では重心位置が悪く、不安定である。このため、作業者は、電源装置１０１を輸送する際、ヒートシンク１２を下側に位置させた状態（以下、「寝かせた状態」と称する。）で電源装置１０１を梱包箱に収容し、輸送する。なお、電源装置１０１が施設の側壁または壁沿いなどに取り付けられた設置状態における電源装置１０１の姿勢は、前述の起立状態に相当する。
【００４１】
（梱包箱）
図２は、本発明の第１の実施の形態に係る梱包箱の構成を示す図である。
【００４２】
図２を参照して、梱包箱２０１は、台座部３１と、第１の緩衝材３２ａと、第２の緩衝材３２ｂと、第３の緩衝材３２ｃと、第４の緩衝材３２ｄと、上蓋部３３と、台座部３１に取り付けられた脚部３４ａ，３４ｂ，３４ｃとを備える。なお、第１の緩衝材３２ａ、第２の緩衝材３２ｂ、第３の緩衝材３２ｃおよび第４の緩衝材３２ｄの各々を「緩衝材３２」とも称する。また、脚部３４ａ，３４ｂ，３４ｃの各々を「脚部３４」とも称する。
【００４３】
台座部３１は、たとえば段ボールにより形成されている。また、台座部３１は、電源装置１０１の前面２１または背面２２が載せられ、かつ電源装置１０１の少なくとも一部を収容する箱型形状を有する。ここでは、台座部３１には、電源装置１０１の背面２２が載せられるとする。
【００４４】
上蓋部３３は、たとえば段ボールにより形成され、箱型形状を有する。
【００４５】
第１の緩衝材３２ａは、電源装置１０１が台座部３１に載った状態において、電源装置１０１の底面２５側、かつ台座部３１の内側に配置される。また、第１の緩衝材３２ａは、電源装置１０１が載った場合に破損しない強度を有する。なお、「破損しない強度」には、電源装置１０１が載った場合に変形する程度の強度が含まれる。
【００４６】
また、第１の緩衝材３２ａは、電源装置１０１における底面２５よりもサイズが小さい。より詳細には、第１の緩衝材３２ａの長手方向における長さＬ２は、電源装置１０１における底面２５の長手方向における長さＬ１よりも短い。好ましくは、電源装置１０１が台座部３１に載せられた状態において、第１の緩衝材３２ａは、底面２５の長手方向の中央付近に配置される。
【００４７】
また、第１の緩衝材３２ａの高さ、すなわち短手方向における長さは、電源装置１０１の起立状態における奥行きの長さよりも長い方が好ましい。
【００４８】
第２の緩衝材３２ｂは、たとえば第１の緩衝材３２ａと同じ形状を有し、電源装置１０１が台座部３１に載った状態、すなわち前述の寝かせた状態において、電源装置１０１の上面２６側、かつ台座部３１の内側に設けられる。
【００４９】
第３の緩衝材３２ｃは、電源装置１０１が台座部３１に載った状態において、電源装置１０１の第１の側面２３側、かつ台座部３１の内側に設けられる。第４の緩衝材３２ｄは、たとえば第３の緩衝材３２ｃと同じ形状を有し、電源装置１０１が台座部３１に載った状態において電源装置１０１の第２の側面２４側、かつ台座部３１の内側に設けられる。
【００５０】
なお、第２の緩衝材３２ｂ、第３の緩衝材３２ｃおよび第４の緩衝材３２ｄは、第１の緩衝材３２ａと同様に、電源装置１０１が載った場合に破損しない強度を有してもよいし、当該強度を有さなくてもよい。
【００５１】
また、緩衝材３２の数は４つに限らず、少なくとも第１の緩衝材３２ａが設けられていればよい。また、４つの緩衝材３２のうちの少なくともいずれか１つが、台座部３１に固定された状態であってもよい。
【００５２】
また、第１の緩衝材３２ａは、２つ以上の部材から構成されてもよい。また、第１の緩衝材３２ａは、電源装置１０１の底面２５よりもサイズが小さい構成に限定されず、たとえば底面２５よりもサイズが大きい構成であってもよい。
【００５３】
また、第１の緩衝材３２ａは、電源装置１０１が載った場合に破損しない強度を有する構成に限定されず、電源装置１０１が載った場合に電源装置１０１を支持することのできる構成であればよい。
【００５４】
脚部３４ａ，３４ｂ，３４ｃは、たとえば、台座部３１の底面において当該底面の長手方向に沿って並び、互いに間隔を空けて取り付けられている。たとえば、電源装置１０１を収容した梱包箱２０１の輸送時において、フォークリフトにおける２つのツメを、脚部３４ａと脚部３４ｂとの間、および脚部３４ｂと脚部３４ｃとの間にそれぞれ挿入することにより、梱包箱２０１を安定して輸送することができる。
【００５５】
なお、脚部３４の数は、３つに限らない。また、梱包箱２０１は、脚部３４を有さない構成であってもよい。
【００５６】
［電源装置の梱包方法および開梱方法］
図３は、本発明の第１の実施の形態に係る電源装置の梱包方法および設置方法の手順を定めたフローチャートを示す図である。
【００５７】
図３を参照して、まず、作業者は、電源装置１０１における底面２５を台座部３１に載せて、電源装置１０１と台座部３１との間に、第１の緩衝材３２ａ、第２の緩衝材３２ｂ、第３の緩衝材３２ｃおよび第４の緩衝材３２ｄを置くことにより、電源装置１０１を４つの緩衝材３２により保護する（ステップＳ１１）。
【００５８】
次に、作業者は、台座部３１に上蓋部３３を被せる（ステップＳ１２）。これにより、電源装置１０１が梱包箱２０１に梱包される。このような状態で、電源装置１０１の輸送が行われる。
【００５９】
次に、作業者は、梱包箱２０１が電源装置１０１の設置先である施設に輸送された後、台座部３１から上蓋部３３を取り外す（ステップＳ１３）。
【００６０】
次に、作業者は、第２の緩衝材３２ｂ、第３の緩衝材３２ｃおよび第４の緩衝材３２ｄを台座部３１から取り出す（ステップＳ１４）。
【００６１】
次に、作業者は、電源装置１０１が起立状態となるように、電源装置１０１、台座部３１および第１の緩衝材３２ａを回転させる転置作業を行う（ステップＳ１５）。
【００６２】
図４は、本発明の第１の実施の形態に係る転置作業前の電源装置および梱包箱の状態を示す図である。図５は、図４に示すＶ−Ｖ線に沿った断面を示す断面図である。図５では、転置作業後の断面も示しており、また、脚部３４を示していない。
【００６３】
図４および図５を参照して、作業者は、電源装置１０１が、図４、および図５の左側に示す寝かせた状態から図５の右側に示す起立状態へ遷移するように、電源装置１０１を台座部３１および第１の緩衝材３２ａと共に回転させる。これにより、電源装置１０１の底面２５が第１の緩衝材３２ａに載り、第１の緩衝材３２ａが電源装置１０１の下敷きとなる。このとき、第１の緩衝材３２ａは、上述のとおり、電源装置１０１が載った場合に破損しない強度を有しているため、破損することなく電源装置１０１を支持する。
【００６４】
再び図３を参照して、作業者は、電源装置１０１を、持ち上げて台座部３１から取り出し、設置箇所へ運び、そして設置する（ステップＳ１６）。
【００６５】
図６は、図５に示す矢印Ａの方向から見た梱包箱および電源装置を示す図である。
【００６６】
図６を参照して、上述のとおり、第１の緩衝材３２ａは、電源装置１０１における底面２５よりもサイズが小さい。このため、電源装置１０１が第１の緩衝材３２ａに載った状態において、電源装置１０１の底面２５の下側であって、底面２５と台座部３１との間に、第１の緩衝材３２ａの厚さ分の作業空間Ｓ１，Ｓ２が確保されている。
【００６７】
このように、電源装置１０１の起立状態において、電源装置１０１の底面２５側に作業空間Ｓ１，Ｓ２が確保されることにより、作業者は、作業空間Ｓ１，Ｓ２に片手ずつ挿入して電源装置１０１を持ち上げることができる。このため、たとえば電源装置１０１に持ち手が設けられていない場合であっても、電源装置１０１を台座部３１から取り出す作業、および電源装置１０１の設置作業を簡易化することができる。
【００６８】
なお、ヒートシンク１２は、電源装置１０１の前面２１に配置されてもよい。この場合、電源装置１０１が梱包箱２０１に収容される際、たとえば電源装置１０１の前面２１が台座部３１に載せられる。
【００６９】
［変形例１］
図７は、本発明の第１の実施の形態に係る梱包箱の変形例１を示す図である。
【００７０】
図７を参照して、変形例１に係る梱包箱２０１は、図５に示す台座部３１および第１の緩衝材３２ａの代わりに、台座部３５および第１の緩衝材３２ｅを備える。図７は、図５における電源装置１０１、台座部３１および第１の緩衝材３２ａの断面と同じ位置の断面であって、電源装置１０１、台座部３５および第１の緩衝材３２ｅの断面を示している。
【００７１】
台座部３５は、底壁４１と、第１の緩衝材３２ｅ側の側壁４２とにより形成される外側角部において、Ｒ面取りされた形状を有する面取り部４３を含む。このような構成により、図７の左側に示す寝かせた状態から、図７の右側に示す起立状態へ、抵抗の少ない滑らかな動作で台座部３５を回転させることができるため、電源装置１０１の転置作業を容易に行うことができる。台座部３５におけるその他の構成は、図５に示す台座部３１と同様である。
【００７２】
第１の緩衝材３２ｅは、肉厚部５１を有する。第１の緩衝材３２ｅは、たとえば、肉厚部５１の厚さＴ１が、第１の緩衝材３２ｅにおける他の部分の厚さＴ２と、台座部３５における側壁４２の厚さＴ３との合計値以上（Ｔ１≧（Ｔ２＋Ｔ３））となるように形成されている。
【００７３】
第１の緩衝材３２ｅは、電源装置１０１の梱包時において、肉厚部５１が台座部３５における側壁４２の上端に載り、肉厚部５１以外の部分が台座部３５の内側に収容される。第１の緩衝材３２ｅにおけるその他の構成は、図５に示す第１の緩衝材３２ａと同様である。
【００７４】
このような構成により、図７の右側に示す起立状態において、肉厚部５１が側壁４２と共に載置面を形成する。すなわち、側壁４２と肉厚部５１とが連続するため、電源装置１０１の下側において側壁４２が存在している部分と存在していない部分との段差により第１の緩衝材３２ｅが水平面に対して傾くことを防ぎ、電源装置１０１を安定した状態で支持することができる。
【００７５】
その他の構成は、上述した電源装置１０１および梱包箱２０１と同様であるため、ここでは詳細な説明を繰り返さない。
【００７６】
［変形例２］
図８は、本発明の第１の実施の形態に係る梱包箱の変形例２を示す図である。
【００７７】
図８を参照して、変形例２に係る梱包箱２０１は、図５に示す台座部３１の代わりに、台座部３６を備える。図８は、図５における電源装置１０１、台座部３１および第１の緩衝材３２ａの断面と同じ位置の断面であって、電源装置１０１、台座部３６および第１の緩衝材３２ａの断面を示している。
【００７８】
台座部３６は、第１の緩衝材３２ａ側の側壁４４が、台座部３６における他の側壁、たとえば側壁４５よりも高く形成されている。より詳細には、たとえば、側壁４４の高さＨ１は電源装置１０１の高さＨ２よりも高く、電源装置１０１の高さＨ２は側壁４５の高さＨ３よりも高い。すなわち、Ｈ１＞Ｈ２＞Ｈ３である。
【００７９】
このような構成により、図８の右側に示す起立状態において、側壁４４が、第１の緩衝材３２ａを介して電源装置１０１の底面２５の全面を支持するため、電源装置１０１を安定した状態で支持することができる。
【００８０】
なお、台座部３６における側壁４４以外の側壁が、側壁４４と同様に高く形成されてもよい。しかしながら、たとえば側壁４５が側壁４４と同様に高く形成されている場合、作業者が電源装置１０１を持ち上げて梱包箱２０１から取り出す際に、作業者が側壁４５と接触する可能性が高くなる。このため、台座部３６において、側壁４４が他の側壁よりも高く形成されている構成が好ましい。
【００８１】
その他の構成は、上述した電源装置１０１および梱包箱２０１と同様であるため、ここでは詳細な説明を繰り返さない。
【００８２】
［変形例３］
図９は、本発明の第１の実施の形態に係る梱包箱の変形例３を示す図である。
【００８３】
図９を参照して、変形例３に係る梱包箱２０１は、さらに、帯電防止シート８１を備える。図９は、図５における電源装置１０１、台座部３１および第１の緩衝材３２ａの断面と同じ断面であって、電源装置１０１、台座部３６、第１の緩衝材３２ａおよび帯電防止シート８１の断面を示している。
【００８４】
帯電防止シート８１は、電源装置１０１に被せられる袋であり、輸送時において生じる摩擦などにより電源装置１０１が静電気を帯びることを防ぐ。作業者は、電源装置１０１が、図９の左側に示す寝かせた状態から図９の右側に示す起立状態へ遷移するように、電源装置１０１を台座部３６、第１の緩衝材３２ａおよび帯電防止シート８１と共に回転させる。
【００８５】
図１０は、図９に示す矢印Ｂの方向から見た電源装置、第１の緩衝材および帯電防止シートを示す図である。図１０では、台座部３６を示していない。
【００８６】
図１０を参照して、帯電防止シート８１は、ミシン目８２を有する。より詳細には、図１０の上側に示すように、帯電防止シート８１は、電源装置１０１の長手方向の中央付近において、当該長手方向に直交する方向に延びたミシン目を有する。
【００８７】
このような構成により、図１０の中央に示すように、作業者が、帯電防止シート８１を掴んだ両手を、矢印Ｃ１に示す方向および矢印Ｃ２に示す方向にそれぞれ引くことにより、ミシン目８２に沿って帯電防止シート８１を容易に分解することができる。これにより、図１０の下側に示すように、電源装置１０１の起立状態において、帯電防止シート８１を容易に取り外すことができる。
【００８８】
その他の構成は、上述した電源装置１０１および梱包箱２０１と同様であるため、ここでは詳細な説明を繰り返さない。
【００８９】
ところで、太陽光発電または蓄電に用いられるＰＣＳ（Ｐｏｗｅｒ  Ｃｏｎｄｉｔｉｏｎｉｎｇ  Ｓｙｓｔｅｍ）等の電源装置は、薄型の筐体形状を有し、背面または前面に大型で重量の大きいヒートシンクが設けられることが多い。このような電源装置は、起立させた状態では重心位置が悪く不安定であるため、輸送時においてはヒートシンクが下側に位置するように寝かせた状態で梱包箱に収容される。
【００９０】
しかしながら、取付施工時においては、開梱した後、寝かせた状態で梱包されている電源装置を起立させる必要があり、重量の大きい電源装置を起立させる作業は、一人の作業者では容易ではない。また、複数の作業者で作業する場合であっても、梱包箱から電源装置を抱え上げて梱包箱から取り出し、電源装置を起立状態に転置させることは容易ではない。
【００９１】
また、梱包箱から電源装置を取り出す際、緩衝材などを退けたり、電源装置に傷が付くことを防ぐためのシート等を敷いたりする必要があり、広い作業スペースを要する。
【００９２】
これに対して、本発明の第１の実施の形態に係る梱包箱２０１では、台座部３１は、電源装置１０１の設置状態における背面２２または前面２１が載せられ、かつ電源装置１０１の少なくとも一部を収容する。第１の緩衝材３２ａは、電源装置１０１が台座部３１に載せられた状態において、電源装置１０１の設置状態における底面２５側、かつ台座部３１の内側に配置される。
【００９３】
このような構成により、電源装置１０１を輸送する際は、電源装置１０１の背面２２または前面２１が下側に位置した状態で電源装置１０１を梱包箱２０１に収容することにより、薄型の筐体形状を有する電源装置１０１であっても、寝かせた状態で安定して輸送することができる。また、設置時は、梱包箱２０１を施工治具として用いることができる。  
【００９４】
具体的には、電源装置１０１を台座部３１と共に回転させることにより、転置作業を簡易化することができ、さらに、第１の緩衝材３２ａが電源装置１０１の下敷きとなるため、多くの作業者を必要とせず、かつ転置作業時において電源装置１０１に傷が付くことを防ぐことができる。また、電源装置１０１を梱包箱２０１から取り出した後に起立させる場合と比較して、作業スペースを小さくすることができる。したがって、より優れた電源装置１０１の梱包箱２０１を提供することができる。
【００９５】
また、本発明の第１の実施の形態に係る梱包箱２０１では、第１の緩衝材３２ａは、電源装置１０１の底面２５よりもサイズが小さく、電源装置１０１の底面が第１の緩衝材３２ａに載った状態において電源装置１０１の底面２５の下側に作業空間Ｓ１，Ｓ２が設けられる。
【００９６】
このような構成により、作業者は、作業空間Ｓ１，Ｓ２に手を挿入して電源装置１０１を持ち上げることができるため、たとえば電源装置１０１に持ち手が設けられていない場合であっても、電源装置１０１を台座部３１から取り出す作業、および電源装置１０１の設置作業を簡易化することができる。
【００９７】
また、本発明の第１の実施の形態に係る梱包箱２０１では、第１の緩衝材３２ａは、電源装置１０１が載った状態において破損しない強度を有する。
【００９８】
このような構成により、電源装置１０１が第１の緩衝材３２ａに載った状態において、第１の緩衝材３２ａが電源装置１０１を安定して支持することができる。
【００９９】
また、本発明の第１の実施の形態の変形例２に係る梱包箱２０１では、台座部３６における第１の緩衝材３２ａの側壁４４は、台座部３６における他の側壁よりも高い。
【０１００】
このような構成により、電源装置１０１が第１の緩衝材３２ａに載った状態において、台座部３６の側壁４４が当該緩衝材を介して電源装置の前面または背面を広く支持することができるため、電源装置１０１を安定した状態で支持することができる。
【０１０１】
また、本発明の第１の実施の形態の変形例１に係る梱包箱２０１では、第１の緩衝材３２ｅにおける肉厚部５１は、電源装置１０１の底面２５が第１の緩衝材３２ｅに載った状態において、台座部３５の側壁４２と共に載置面を形成する。
【０１０２】
このような構成により、電源装置１０１が第１の緩衝材３２ｅに載った状態で、電源装置１０１の下側において台座部３５の側壁４２が存在している部分と存在していない部分との段差を無くすことができるため、第１の緩衝材３２ｅが水平面に対して傾くことを防ぎ、電源装置１０１を安定した状態で支持することができる。
【０１０３】
また、本発明の第１の実施の形態の変形例１に係る梱包箱２０１では、台座部３５における、底壁４１と第１の緩衝材３２ｅ側の側壁４２とにより形成される外側角部は、Ｒ面取りされた形状を有する。
【０１０４】
このような構成により、電源装置１０１が台座部３５に載った状態から、電源装置１０１が第１の緩衝材３２ｅに載った状態へ遷移するように、抵抗の少ない滑らかな動作で台座部３５を回転させることができるため、電源装置１０１の転置作業を容易に行うことができる。
【０１０５】
また、本発明の第１の実施の形態の変形例３に係る梱包箱２０１では、帯電防止シート８１はミシン目８２を有する。
【０１０６】
このような構成により、電源装置１０１が第１の緩衝材３２ａに載った状態において、電源装置１０１に被せられた帯電防止シート８１を容易に取り外すことができる。
【０１０７】
また、本発明の第１の実施の形態に係る電源装置の設置方法では、まず、電源装置１０１の設置状態における背面２２または前面２１を、梱包箱２０１における台座部３１に載せて、電源装置１０１を梱包箱２０１に収容する。次に、梱包箱２０１を転置して、電源装置１０１の設置状態における底面２５を、底面２５側かつ台座部３１の内側に配置された第１の緩衝材３２ａに載せる。次に、第１の緩衝材３２ａに載っている電源装置１０１を梱包箱２０１から取り出して設置する。
【０１０８】
このような方法により、電源装置１０１を輸送する際は、電源装置１０１の背面２２または前面２１が下側に位置した状態で電源装置１０１を梱包箱２０１に収容することにより、薄型の筐体形状を有する電源装置１０１であっても、寝かせた状態で安定して輸送することができる。また、設置時は、梱包箱２０１を施工治具として用いることができる。
【０１０９】
具体的には、電源装置１０１を台座部３１と共に回転させることにより、転置作業を簡易化することができ、さらに、第１の緩衝材３２ａが電源装置１０１の下敷きとなるため、多くの作業者を必要とせず、かつ転置作業時において電源装置１０１に傷が付くことを防ぐことができる。また、電源装置１０１を梱包箱２０１から取り出した後に起立させる場合と比較して、作業スペースを小さくすることができる。したがって、より優れた電源装置１０１の設置方法を提供することができる。
【０１１０】
次に、本発明の他の実施の形態について図面を用いて説明する。なお、図中同一または相当部分には同一符号を付してその説明は繰り返さない。
【０１１１】
＜第２の実施の形態＞
本発明の第２の実施の形態に係る梱包箱２０２は、上述した第１の実施の形態に係る第１の緩衝材３２ａとは異なる形状の緩衝材を備える。
【０１１２】
図１１は、本発明の第２の実施の形態に係る梱包箱の構成を示す図である。
【０１１３】
図１１を参照して、第２の実施の形態に係る梱包箱２０２は、図２に示す梱包箱２０１と比較して、第１の緩衝材３２ａの代わりに、第１の緩衝材６１ａを備える。
【０１１４】
第１の緩衝材６１ａは、電源装置１０１が台座部３１に載せられた状態において、電源装置１０１の底面２５と対向する第１の部分７１と、電源装置１０１の前面２１と対向する第２の部分７２と、電源装置１０１の背面２２と対向する第３の部分７３とを有する。
【０１１５】
また、第１の部分７１は、図２に示す第１の緩衝材３２ａと同様に、電源装置１０１における底面２５よりもサイズが小さい。より詳細には、第１の緩衝材６１ａの長手方向における長さＬ３は、電源装置１０１における底面２５の長手方向における長さＬ１よりも短い。好ましくは、電源装置１０１が台座部３１に載せられた状態において、第１の緩衝材６１ａは、底面２５の長手方向の中央付近に配置される。
【０１１６】
電源装置１０１の梱包時において、作業者は、電源装置１０１に対して、底面２５側から矢印Ｄの方向に沿って第１の緩衝材６１ａを嵌めて取り付ける。そして、作業者は、第１の緩衝材６１ａが取り付けられた電源装置１０１を、第１の緩衝材６１ａと共に台座部３１の内側に収容する。
【０１１７】
図１２は、本発明の第２の形態に係る梱包箱および電源装置を示す図である。図１２は、図５における電源装置１０１、台座部３１および第１の緩衝材３２ａの断面と同じ位置の断面であって、電源装置１０１、台座部３１および第１の緩衝材６１ａの断面を示している。
【０１１８】
図１２の左側に示すように、輸送時において、第１の部分７１は電源装置１０１における底面２５を支持し、第２の部分７２は電源装置１０１における前面２１を支持し、第３の部分７３は電源装置１０１における背面２２を支持する。作業者は、電源装置１０１が、図１２の左側に示す寝かせた状態から図１２の右側に示す起立状態へ遷移するように、電源装置１０１を台座部３１および第１の緩衝材６１ａと共に回転させる。
【０１１９】
このとき、第１の緩衝材６１ａは、電源装置１０１の下敷きとなり、かつ電源装置１０１における前面２１側および背面２２側において電源装置１０１を支持する。これにより、電源装置１０１の起立状態において、電源装置１０１が前面２１側へ滑ることを防ぎ、電源装置１０１を安定した状態で支持することができる。
【０１２０】
図１３は、図１２に示す矢印Ｅの方向から見た梱包箱および電源装置を示す図である。
【０１２１】
図１３を参照して、上述のとおり、第１の緩衝材６１ａは、電源装置１０１における底面２５よりもサイズが小さい。このため、電源装置１０１が第１の緩衝材６１ａに載った状態において、電源装置１０１の底面２５の下側であって、底面２５と台座部３１との間に、第１の緩衝材６１ａの厚さ分の作業空間Ｓ３，Ｓ４が確保されている。このため、電源装置１０１に持ち手が設けられていない場合であっても、電源装置１０１を台座部３１から取り出す作業、および電源装置１０１の設置作業を簡易化することができる。
【０１２２】
なお、第１の緩衝材６１ａは、第１の部分７１、第２の部分７２および第３の部分７３を有する構成に限らず、たとえば、第３の部分７３を有さない構成であっても、電源装置１０１の起立状態において、電源装置１０１が前面２１側へ滑ることを防ぎ、電源装置１０１を安定した状態で支持することができる。
【０１２３】
また、再び図１１を参照して、たとえばヒートシンク１２が電源装置１０１の前面２１に配置されている場合、前面２１が台座部３１に載せられる。この場合、第２の部分７２が電源装置１０１の背面２２と対向し、第３の部分７３が電源装置１０１の前面２１と対向する。
【０１２４】
その他の構成は、上述した電源装置１０１および梱包箱２０１と同様であるため、ここでは詳細な説明を繰り返さない。
【０１２５】
上記のように、本発明の第２の実施の形態に係る梱包箱２０２では、第１の緩衝材６１ａにおける第１の部分７１は、電源装置１０１が台座部３１に載せられた状態において、電源装置１０１の底面２５と対向する。第１の緩衝材６１ａにおける第２の部分７２は、電源装置１０１が台座部３１に載せられた状態において、電源装置１０１の前面２１または背面２２と対向する。
【０１２６】
このような構成により、電源装置１０１が第１の緩衝材６１ａに載せられた状態において、第１の部分７１が電源装置１０１の下敷きとなり、かつ第２の部分７２が電源装置１０１の前面２１または背面２２において電源装置１０１を支持する。これにより、電源装置１０１が第１の緩衝材６１ａに載せられた状態において、電源装置１０１が前面２１側または背面２２側へ滑ることを防ぎ、電源装置１０１を安定した状態で支持することができる。
【０１２７】
なお、本発明の第１の実施の形態、第１の実施の形態の変形例１、第１の実施の形態の変形例２、第１の実施の形態の変形例３および第２の実施の形態に係る梱包箱２０１，２０２の各々の特徴を適宜組み合わせることも可能である。
【０１２８】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１２９】
以上の説明は、以下に付記する特徴を含む。
【０１３０】
［付記１］
電源装置の梱包箱であって、
前記電源装置の設置状態における背面または前面が載せられ、かつ前記電源装置の少なくとも一部を収容する台座部と、
前記電源装置が前記台座部に載せられた状態において、前記電源装置の設置状態における底面側、かつ前記台座部の内側に配置される緩衝材とを備え、
前記電源装置は、太陽光発電または蓄電に用いられるＰＣＳ（Ｐｏｗｅｒ  Ｃｏｎｄｉｔｉｏｎｉｎｇ  Ｓｙｓｔｅｍ）であり、前記背面または前記前面に配置されるヒートシンクを備える、梱包箱。
【符号の説明】
【０１３１】
１１  本体部
１２  ヒートシンク
２１  前面
２２  背面
２３  第１の側面
２４  第２の側面
２５  底面
２６  上面
３１，３５，３６  台座部
３２  緩衝材
３２ａ，３２ｅ，６１ａ  第１の緩衝材
３２ｂ  第２の緩衝材
３２ｃ  第３の緩衝材
３２ｄ  第４の緩衝材
３３  上蓋部
３４，３４ａ，３４ｂ，３４ｃ  脚部
４１  底壁
４２，４４，４５  側壁
４３  面取り部
５１  肉厚部
７１  第１の部分
７２  第２の部分
７３  第３の部分
８１  帯電防止シート
８２  ミシン目
１０１  電源装置
２０１，２０２  梱包箱
【図１】
2019073317.tif 000003
【図２】
2019073317.tif 000004
【図３】
2019073317.tif 000005
【図４】
2019073317.tif 000006
【図５】
2019073317.tif 000007
【図６】
2019073317.tif 000008
【図７】
2019073317.tif 000009
【図８】
2019073317.tif 000010
【図９】
2019073317.tif 000011
【図１０】
2019073317.tif 000012
【図１１】
2019073317.tif 000013
【図１２】
2019073317.tif 000014
【図１３】
2019073317.tif 000015